(57)【要約】【課題】  商用系統異常等の非常時が長時間継続しても、自立運転を可能とし、重要負荷でも特にサーバなどの最重要負荷に対しては高品質な電力を継続して供給できるようにする。【解決手段】  商用電源１の給電ラインに接続される一般負荷２と、蓄電電源装置５に接続される第１の負荷３と、非常用発電電源装置６に接続される第２の負荷４を備えると共に、一般負荷２と第１の負荷３との間を第１の遮断器ＣＢ１を介して接続し、第１の負荷３と第２の負荷４との間を第２の遮断器ＣＢ２を介して接続して、給電ラインからの給電時には第１の遮断器ＣＢ１及び第２の遮断器ＣＢ２を投入し、給電ラインの異常時には、第１の遮断器ＣＢ１を遮断すると共に非常用発電電源装置６を運転し、非常用発電電源装置６が運転状態にないことを条件に第２の遮断器ＣＢ２を遮断する。【選択図】    図１
2010142076.tif 000002
【特許請求の範囲】
【請求項１】
商用電源の給電ラインに接続され停電を含む給電の異常状態の検出を行う給電検出装置と、
前記給電ラインに接続される一般負荷と、
前記給電ラインに接続される第１の遮断器と、
前記第１の遮断器に接続される蓄電電源装置と、
前記第１の遮断器に接続される第１の負荷と、
前記第１の遮断器に接続される第２の遮断器と、
前記第２の遮断器に接続される非常用発電電源装置と、
前記第２の遮断器に接続される第２の負荷と、
前記第１の遮断器及び前記第２の遮断器の投入・遮断を制御すると共に前記蓄電電源装置の充放電を制御し、前記非常用発電電源装置の起動・停止を制御する制御装置と
を備え、前記第１の遮断器及び前記第２の遮断器を投入して前記給電ラインより給電中、前記制御装置は、前記給電検出装置により前記給電ラインの異常が検出されたことを条件に、少なくとも前記第１の遮断器を遮断して前記非常用発電電源装置を起動し、前記非常用発電電源装置が運転状態にないことを条件に前記第２の遮断器を遮断することを特徴とする蓄電・非常用発電電源装置を活用した自立運転システム。
【請求項２】
前記給電検出装置は、前記給電状態として給電量を検出し、前記制御装置は、前記給電量及び前記蓄電電源装置の蓄電残存容量に応じて前記蓄電電源装置の充放電量を制御することを特徴とする請求項１に記載の蓄電・非常用発電電源装置を活用した自立運転システム。
【請求項３】
前記制御装置は、前記異常状態の検出時に前記非常用発電電源装置の出力及び前記蓄電電源装置の蓄電残存容量に応じて前記蓄電電源装置の充放電量を制御することを特徴とする請求項１又は２のいずれかに記載の蓄電・非常用発電電源装置を活用した自立運転システム。
【請求項４】
前記制御装置は、前記異常状態の検出時で前記第１の遮断器及び前記第２の遮断器が遮断されていることを条件に前記蓄電電源装置を電圧制御モードにして前記第１の負荷に給電することを特徴とする請求項１乃至３のいずれかに記載の蓄電・非常用発電電源装置を活用した自立運転システム。
【請求項５】
商用電源の給電ラインに接続される一般負荷と、蓄電電源装置に接続される第１の負荷と、非常用発電電源装置に接続される第２の負荷を備えると共に、前記一般負荷と前記第１の負荷との間を第１の遮断器を介して接続し、前記第１の負荷と前記第２の負荷との間を第２の遮断器を介して接続して、前記給電ラインからの給電時には前記第１の遮断器及び前記第２の遮断器を投入し、前記給電ラインの異常時には、前記第１の遮断器を遮断すると共に前記非常用発電電源装置の起動を開始し、前記非常用発電電源装置が運転状態にないことを条件に前記第２の遮断器を遮断することを特徴とする蓄電・非常用発電電源装置を活用した自立運転システム。
【請求項６】
商用電源の給電ラインに一般負荷を接続し、前記給電ラインに第１の遮断器を介して蓄電電源装置及び第１の負荷を接続すると共に、さらに前記給電ラインに接続された前記第１の遮断器に第２の遮断器を介して非常用発電電源装置及び第２の負荷を接続して、前記第１の遮断器及び前記第２の遮断器を投入して前記給電ラインに前記第１の負荷及び前記第２の負荷を接続し、前記給電ラインの異常時は、前記第１の遮断器を遮断して前記非常用発電電源装置の起動を開始し、前記給電ラインの異常時で前記非常用発電電源装置が運転状態にないことを条件に前記第２の遮断器を遮断して、前記第１の負荷に前記蓄電電源装
置から給電することを特徴とする蓄電・非常用発電電源装置を活用した自立運転システム。
【請求項７】
前記蓄電電源装置は、前記給電ラインから前記各負荷への給電量が低下した時の余剰電力により充電して蓄電し、前記給電量が増大した時に放電することを特徴とする請求項１乃至６のいずれかに記載の蓄電・非常用発電電源装置を活用した自立運転システム。
【請求項８】
前記蓄電電源装置は、蓄電池と自然エネルギー発電装置を有することを特徴とする請求項１乃至７のいずれかに記載の蓄電・非常用発電電源装置を活用した自立運転システム。
【請求項９】
前記自然エネルギー発電装置は、前記蓄電池の蓄電残存容量に基づき運転台数及び運転停止が制御されることを特徴とする請求項８に記載の蓄電・非常用発電電源装置を活用した自立運転システム。
【請求項１０】
前記非常用発電電源装置は、発電燃料の枯渇が検出されたとき前記運転状態にないと判定されることを特徴とする請求項１乃至９のいずれかに記載の蓄電・非常用発電電源装置を活用した自立運転システム。
【請求項１１】
前記非常用発電電源装置は、起動が完了するまで前記運転状態にないと判定されることを特徴とする請求項１乃至１０のいずれかに記載の蓄電・非常用発電電源装置を活用した自立運転システム。
【発明の詳細な説明】
【技術分野】
【０００１】
本発明は、商用電源の給電ラインに接続される一般負荷と、蓄電電源装置に接続される第１の負荷と、非常用発電電源装置に接続される第２の負荷を備えると共に、一般負荷と第１の負荷との間を第１の遮断器を介して接続し、第１の負荷と第２の負荷との間を第２の遮断器を介して接続した蓄電・非常用発電電源装置を活用した自立運転システムに関する。
【背景技術】
【０００２】
近年、ＣＯ2 削減を目的として太陽光発電や風力発電に代表される自然エネルギーの活用技術への取り組みが活発化している。太陽光発電を有効に活用する方法としては、通常時は商用系統と連繋して電力供給を行い、商用系統停電等の非常時にＢＣＰ（Ｂusiness Ｃontinuity Ｐlan ：事業継続計画）用の電源として利用することが考えられる。太陽光発電は天候によって発電出力が大きく変動するため、非常時のＢＣＰ電源として利用するためにはベース電力を供給する分散型電源と組み合わせて電力供給を行う必要がある。ベース電力の供給には、一定規模以上の建物では法的に設置が義務づけられている非常用発電機（以下、「非発」ともいう) を利用することが効率的である。これにより、非常時に非発はベース電力の供給を行い、太陽光発電は非発の燃料消費を抑制するための補助的電源として活用することが可能となる。
【０００３】
従来のシステムとしては、例えば太陽電池の直流を交流に変換して電力ラインを介して出力し電力系統と連系して負荷に交流電力を供給し、停電時に太陽電池と蓄電池を併設して、太陽電池の出力変動を補償して負荷に交流電力を供給する太陽光発電用パワーコンデショナ（例えば、特許文献１参照）、発電機電源と太陽電池を備え、商用電源の停電時に発電機電源に切り換えて発電機電源と太陽電池から負荷に電力を供給する発電機連系機能付系統連系形システム（例えば、特許文献２参照）などが提案されている。
【特許文献１】特開２００２−３５４６７７号公報
【特許文献２】特開２００４−１０４８５１号公報
【発明の開示】
【発明が解決しようとする課題】
【０００４】
しかし、上記従来の特許文献１で提案されている太陽光発電用パワーコンデショナでは、日照の関係で太陽電池が出力が少ない場合、自立負荷には実質的に蓄電池の蓄電容量しか電力が供給できない。また、特許文献２で提案されている発電機連系機能付系統連系形システムでは、停電直後の発電機電源が起動するまでの１０秒から４０秒程度の時間帯は電力供給が停止し、その間、太陽電池だけでは安定した電力が供給できない。そのため、電力品質が悪化し、重要負荷にサーバなどのような高品質な電力が必要な機器が含まれる場合には、個別にＵＰＳ（Ｕninterruptible  Ｐower  Ｓupply ：無停電電源装置）等の設備を設置することが必要になる。また、発電機電源が燃料枯渇によって停止すると、同様に安定した電力が供給できなくなる。
【課題を解決するための手段】
【０００５】
本発明は、上記課題を解決するものであって、商用系統停電等の異常状態が長時間継続しても、自立運転を可能とし、重要負荷でも特にサーバなどの最重要負荷に対しては高品質な電力を継続して供給できるようにするものである。
【０００６】
そのために本発明に係る蓄電・非常用発電電源装置を活用した自立運転システムは、商用電源の給電ラインに接続され停電を含む給電の異常状態の検出を行う給電検出装置と、
前記給電ラインに接続される一般負荷と、前記給電ラインに接続される第１の遮断器と、前記第１の遮断器に接続される蓄電電源装置と、前記第１の遮断器に接続される第１の負荷と、前記第１の遮断器に接続される第２の遮断器と、前記第２の遮断器に接続される非常用発電電源装置と、前記第２の遮断器に接続される第２の負荷と、前記第１の遮断器及び前記第２の遮断器の投入・遮断を制御すると共に前記蓄電電源装置の充放電を制御し、前記非常用発電電源装置の起動・停止を制御する制御装置とを備え、前記第１の遮断器及び前記第２の遮断器を投入して前記給電ラインより給電中、前記制御装置は、前記給電検出装置により前記給電ラインの異常が検出されたことを条件に、少なくとも前記第１の遮断器を遮断して前記非常用発電電源装置を起動し、前記非常用発電電源装置が運転状態にないことを条件に前記第２の遮断器を遮断することを特徴とする。
【０００７】
前記給電検出装置は、前記給電状態として給電量を検出し、前記制御装置は、前記給電量及び前記蓄電電源装置の蓄電残存容量に応じて前記蓄電電源装置の充放電量を制御することを特徴とし、前記制御装置は、前記異常状態の検出時に前記非常用発電電源装置の出力及び前記蓄電電源装置の蓄電残存容量に応じて前記蓄電電源装置の充放電量を制御し、また、前記異常状態の検出時で前記第１の遮断器及び前記第２の遮断器が遮断されていることを条件に前記蓄電電源装置を電圧制御モードにしてＣＶＣＦ運転にて前記第１の負荷に給電することを特徴とする。
【０００８】
さらに、蓄電・非常用発電電源装置を活用した自立運転システムとして、商用電源の給電ラインに接続される一般負荷と、蓄電電源装置に接続される第１の負荷と、非常用発電電源装置に接続される第２の負荷を備えると共に、前記一般負荷と前記第１の負荷との間を第１の遮断器を介して接続し、前記第１の負荷と前記第２の負荷との間を第２の遮断器を介して接続して、前記給電ラインからの給電時には前記第１の遮断器及び前記第２の遮断器を投入し、前記給電ラインの異常時には、前記第１の遮断器を遮断すると共に前記非常用発電電源装置の起動を開始し、前記非常用発電電源装置が運転状態にないことを条件に前記第２の遮断器を遮断することを特徴とする。
【０００９】
さらに、蓄電・非常用発電電源装置を活用した自立運転システムとして、商用電源の給電ラインに一般負荷を接続し、前記給電ラインに第１の遮断器を介して蓄電電源装置及び第１の負荷を接続すると共に、さらに前記給電ラインに接続された前記第１の遮断器に第２の遮断器を介して非常用発電電源装置及び第２の負荷を接続して、前記第１の遮断器及び前記第２の遮断器を投入して前記給電ラインに前記第１の負荷及び前記第２の負荷を接続し、前記給電ラインの異常時は、前記第１の遮断器を遮断して前記非常用発電電源装置の起動を開始し、前記給電ラインの異常時で前記非常用発電電源装置が運転状態にないことを条件に前記第２の遮断器を遮断して、前記第１の負荷に前記蓄電電源装置から給電することを特徴とする。
【００１０】
前記蓄電電源装置は、前記給電ラインから前記各負荷への給電量が低下した時の余剰電力により充電して蓄電し、前記給電量が増大した時に放電することを特徴とし、前記蓄電電源装置は、蓄電池と自然エネルギー発電装置を有し、前記自然エネルギー発電装置は、前記蓄電池の蓄電残存容量に基づき運転台数及び運転停止が制御されることを特徴とし、前記非常用発電電源装置は、発電燃料の枯渇が検出されたとき、あるいは起動が完了するまで前記運転状態にないと判定されることを特徴とする。
【発明の効果】
【００１１】
本発明によれば、第１の負荷に対して、連系運転時には商用電源の給電ラインと蓄電電源装置から電力を供給し、商用電源の給電ラインの異常時（自立運転時）には、非常用発電電源装置を運転して非常用発電電源装置と蓄電電源装置から電力を供給して非常用発電電源装置が停止すると蓄電電源装置から電力を供給するので、商用系統の停電等の異常時
が長時間継続しても、第１の負荷を特にサーバなどの最重要負荷として高品質な電力供給を継続できる。さらに、連系運転時に蓄電電源装置を活用してピークカット運転や電力変動補償運転等の各種制御を行うことにより、契約電力を削減することができる。
【００１２】
また、第２の負荷に対しても、商用電源の給電ラインの異常時、非常用発電電源装置が停止するまで非常用発電電源装置から電力を供給するので、第２の負荷を防災負荷や保安負荷として、商用電源の給電ラインの異常状態になっても非常用発電電源装置が燃料切れになるまで安定して電力を供給することができ、異常時の防災対策や保安対策に対応することができる。
【００１３】
したがって、サーバなどの最重要負荷に対しては、異常発生直後の非常用発電電源装置が起動するまでの１０秒から４０秒程度の時間帯も高品質な電力供給が継続されるため、ＵＰＳや整流器等の設備が不要となる。さらに、蓄電電源装置として、蓄電池と自然エネルギー発電装置を備えることにより、非常用発電電源装置の燃料が枯渇した後も、自然エネルギー発電装置の出力を利用しながら高品質な電力供給を継続できるため、自然エネルギー発電装置の出力を最大限に活用することができる。
【発明を実施するための最良の形態】
【００１４】
以下、本発明の実施の形態を図面を参照しつつ説明する。図１は本発明に係る蓄電・非常用発電電源装置を活用した自立運転システムの実施の形態を説明する図であり、１は商用電源、２は一般負荷、３は第１の負荷、４は第２の負荷、５は蓄電電源装置、６は非常用発電機、１１は統合制御装置、１２は給電検出装置、ＣＢ１〜３は遮断器を示す。
【００１５】
図１において、一般負荷２は、商用電源１の給電ラインに接続され、商用電源１の給電ラインが停電その他の異常状態に陥った時には給電が遮断されるものである。第１の負荷３は、例えばサーバなど、最も重要度の高い負荷として、商用電源１の給電ラインに遮断器ＣＢ１を介して接続されると共に、蓄電電源装置５に接続され、商用電源１の給電ラインが異常状態に陥っても蓄電電源装置５から給電することによって、蓄電電源装置５の蓄電残存容量がある間は給電の中断を回避可能にするものである。第２の負荷４は、例えば防災負荷や保安負荷など、第１の負荷の次に重要度の高い負荷として、給電ラインに接続された遮断器ＣＢ１に、さらに遮断器ＣＢ２を介して接続されると共に、非常用発電機６に接続され、商用電源１の給電ラインが異常状態に陥っても非常用発電機６から給電することにより給電の中断を最小限に回避可能にするものである。
【００１６】
蓄電電源装置５は、繰り返し充放電が可能なコンデンサや二次電池などの蓄電池からなり、商用電源１や非常用発電機６により充電され、一般負荷２や第１の負荷３、第２の負荷４に放電するものである。蓄電電源装置５は、商用電源１の給電ラインからの給電量、非常用発電機６からの発電量、自身の蓄電残存容量に基づき充放電が制御される。また、蓄電電源装置５には、太陽光発電や風力発電などの自然エネルギー発電の設備も蓄電池と併設して適宜組み合わせて用いられる。この場合には、負荷変動や自然エネルギー発電の出力変動に対して、蓄電池の出力を適切に制御して補償することによって、高品質な電力供給を実現することができる。蓄電池は、交−直変換器を備え、直流から交流に変換して放電することにより電力を供給し、商用電源の交流から直流に逆変換して充電することにより蓄電する。また、太陽光発電の太陽電池も、交−直変換器を備え、直流から交流に変換して電力を供給する。
【００１７】
非常用発電機６は、重油やその他の燃料を動力源として商用電源１の給電ラインが異常状態に陥った時に起動され、異常発生中は継続して運転されるものである。したがって、商用電源１の給電ラインが長時間にわたり異常状態が継続して、非常用発電機６が長時間運転を継続すると、燃料枯渇（燃料切れ）になり、運転停止に至ることもある。遮断器Ｃ
Ｂ３は、非常用発電機６の出力ラインに接続されたものであり、非常用発電機６と共に非常用発電電源装置を構成している。
【００１８】
遮断器ＣＢ１は、平常運転時に投入され、商用電源１の給電ラインの異常時は遮断されるものである。遮断器ＣＢ２も、遮断器ＣＢ１と同様に平常運転時に投入され、さらに非常用発電機６の運転時にも投入されるが、商用電源１の給電ラインの異常時で非常用発電機６が停止中は遮断される。
【００１９】
給電検出装置１２は、商用電源１の給電ラインに接続され給電状態の検出を行うものであり、給電状態としては、少なくとも停電の検出を含む給電ラインの異常状態の検出、給電量の検出を行う。給電ラインの異常検出では、例えば電圧の異常（ＵＶＲ：不足電圧リレーやＯＶＲ：過電圧リレー）、周波数の異常（ＵＦＲやＯＦＲ）の検出により行う。
【００２０】
統合制御装置１１は、平常運転時か、商用電源１の給電ラインの異常時に応じて、遮断器ＣＢ１〜３の投入・遮断を制御すると共に蓄電電源装置５の充放電を制御し、非常用発電機６の起動・停止を制御するものである。そのために統合制御装置１１は、給電検出装置１２による異常状態の検出、給電量の検出を監視し、遮断器ＣＢ１〜３の補助接点による開閉状態を監視し、蓄電電源装置５の充放電量や電圧により蓄電残存容量を監視し、非常用発電機６の運転状態、出力（給電量）、燃料残量などを監視する。
【００２１】
本実施形態のシステムでは、平常運転時に遮断器ＣＢ１、ＣＢ２を投入することにより、商用電源１の給電ラインから一般負荷２、第１の負荷３、第２の負荷４に給電すると共に、蓄電電源装置５にも給電して所定の蓄電残存容量になるまで充電する。そして、商用電源１の給電ラインが異常状態に陥ると、遮断器ＣＢ１、ＣＢ２を遮断することにより、第１の負荷３にのみ蓄電電源装置５から継続して給電する。同時に非常用発電機６を起動して起動が完了した後、遮断器ＣＢ２を投入することにより、非常用発電機６から第１の負荷３、第２の負荷４に給電すると共に、蓄電電源装置５にも給電して所定の蓄電残存容量になるまで充電する。
【００２２】
商用電源１の給電ラインが長時間にわたり異常状態にあって、非常用発電機６が長時間運転を継続し、燃料枯渇（燃料切れ）になると、遮断器ＣＢ２、ＣＢ３を遮断して非常用発電機６を停止させることにより、第１の負荷３にのみ蓄電電源装置５から継続して給電する。したがって、第１の負荷３は、商用電源１の給電ラインの異常状態が長時間にわたり継続し、非常用発電機６の燃料が枯渇しても、さらに引き続き蓄電電源装置５から放電することにより給電を継続することができる。
【００２３】
このように蓄電電源装置５は、商用電源１の給電ラインが異常状態に陥り、さらにそれが長時間にわたることにより非常用発電機６の燃料が枯渇しても、第１の負荷３への給電を確保することを第１に使用される。そのため、上記のように所定の蓄電残存容量を保持するように充電されるが、平常運転時には、負荷の平準化運転を行うようにしてもよい。すなわち、一般負荷２や第１の負荷３、第２の負荷４の増大に伴い、商用電源１の給電ラインから給電量が増大し上限となる所定の給電量を越える場合には、蓄電電源装置５から放電して負荷の平準化を行う。そして、商用電源１の給電ラインから給電量が所定の水準まで低下しているときに蓄電電源装置５を充電しておく。このような連系運転によりピークカット運転や電力変動補償運転等の各種制御を行うと、契約電力を削減することができる。
【００２４】
例えば蓄電池と太陽電池を備えた蓄電電源装置５では、蓄電池が所定の蓄電残存容量になるまで太陽電池の発電した電力、商用電源１の給電ラインから供給される電力、さらに非常用発電機６の発電した電力により充電される。そして、太陽電池は、余剰電力を負荷
に供給するように制御される。同様に商用電源１の給電ラインの異常時も、蓄電池が所定の蓄電残存容量になるまで太陽電池の発電した電力、非常用発電機６の発電した電力により充電される。そして、太陽電池は、余剰電力を負荷に供給するように制御される。なお、太陽電池に代えて風力発電機や他の自然エネルギー発電装置を組み合わせた場合にも同様である。
【００２５】
さらに、本発明に係る蓄電・非常用発電電源装置を活用した自立運転システムの実施の形態を制御処理の流れと回路構成により説明する。図２は統合制御装置の実施の形態を制御処理の流れにより説明する図、図３は非常用発電電源装置の燃料枯渇に対応する制御処理の流れを説明する図、図４は統合制御装置の実施の形態を回路構成により説明する図である。
【００２６】
本実施形態における具体的な制御処理の流れは、例えば図２に示すように各負荷への給電、運転の開始により、まず、遮断器ＣＢ１、２を投入すると共に（ステップＳ１１）、蓄電電源装置５を電流制御モードに設定する（ステップＳ１２）。この電流制御モードは、例えば給電検出装置１２により検出される給電量に応じて、軽負荷時で給電量が少なくなり、蓄電電源装置５の蓄電残存容量が少ない場合には、所定の電流で蓄電電源装置５の充電を行い、給電量が多くなった場合には、蓄電電源装置５から放電することにより負荷の要求に応じた給電の補充を行うものである。このような連系運転によりピークカット運転や電力変動補償運転等の各種制御を行うことにより、契約電力は削減される。この間、給電検出装置１２により商用電源１の給電ラインの異常が検出されているか否かを判定し（ステップＳ１３）、異常が検出されなければ運転終了までその状態を維持し（ステップＳ１４→Ｓ１３→Ｓ１４→……）、運転終了により遮断器ＣＢ１、２を遮断して運転を終了する（ステップＳ１５）。
【００２７】
ステップＳ１３で商用電源１の給電ラインの異常が検出されると、遮断器ＣＢ１、２を遮断して（ステップＳ１６）、蓄電電源装置５を電流制御モードから電圧制御モードに切り替える（ステップＳ１７）。この電圧制御モードは、第１の負荷３に対して、遮断器ＣＢ１を介して商用電源１の給電ラインからの給電が、蓄電電源装置５のみからの給電の回路に切り替わるので、第１の負荷３に所定の定格電圧の給電を行うように蓄電電源装置５を電圧制御するものである。
【００２８】
しかる後、例えば遮断器ＣＢ１の補助接点の状態から遮断器ＣＢ１が開放されたか否かを判定し（ステップＳ１８）、遮断器ＣＢ１が開放されると、非常用発電機６を起動すると共に（ステップＳ１９）、遮断器ＣＢ３を投入する（ステップＳ２０）。その後、非常用発電機６の起動が完了したか否かを判定し（ステップＳ２１）、起動が完了すると、遮断器ＣＢ２を投入すると共に（ステップＳ２２）、蓄電電源装置５を電圧制御モードから再び電流制御モードに切り替える（ステップＳ２３）。この電流制御モードは、蓄電電源装置５の蓄電残存容量が少ない場合に非常用発電機６の出力により充電して蓄電できるようにするものである。
【００２９】
したがって、商用電源１の給電ラインの異常が検出されてから非常用発電機６の起動が完了するまでの間、一般には１０秒乃至４０秒の間、第１の負荷３は、蓄電電源装置５を電源とする単独運転となり、第２の負荷４は、給電が一時停止された異常状態となる。なお、非常用発電機６の起動が完了したか否かは、例えば非常用発電機６の出力電圧の立ち上がり具合、出力電圧の値を基準値と比較することによって判定される。
【００３０】
以後、商用電源１の給電ラインの異常が解除されたか否かを判定し（ステップＳ２４）異常状態が継続して解除されなければ運転終了までその状態を維持し（ステップＳ２５→Ｓ２４→Ｓ２５→……）、遮断器ＣＢ１、２を遮断して運転を終了する（ステップＳ１５
）。ステップＳ２４で商用電源１の給電ラインの異常状態が解除されると、非常用発電機６を停止し（ステップＳ２７）、遮断器ＣＢ３を遮断してから（ステップＳ２８）、ステップＳ１１の処理に戻る。
【００３１】
また、商用電源１の給電ラインの異常状態が長時間に及び、非常用発電機６が長時間にわたり運転されると、燃料切れが生じる。この場合には、非常用発電機６が運転不能になるので、例えば図３に示すような制御処理が行われる。この制御処理は、図２におけるステップＳ２５の前段、又はステップＳ２５からステップＳ２４の処理に戻るときに、燃料枯渇か否かを判定し（ステップＳ３１）、燃料枯渇と判定された場合には、遮断器ＣＢ２を遮断して（ステップＳ３２）、蓄電電源装置５を電流制御モードから電圧制御モードに切り替える（ステップＳ３３）。
【００３２】
燃料枯渇か否かは、例えば燃料タンクのレベルにより残量で判定される。また、燃料切れにより、非常用発電機６の出力が徐々に低下するのを検出して判定してもよい。さらに、非常停止など非常用発電機６の異常事態による運転停止の場合を含めてもよい。したがって、燃料枯渇により遮断器ＣＢ２を直ちに遮断しても、暫時非常用発電機６の運転が継続される場合、遮断器ＣＢ３は、最終的に非常用発電機６の停止により遮断し、それまでの間は、第２の負荷４に給電を継続させるようにしてもよい。
【００３３】
統合制御装置の実施の形態を接点回路構成により示したのが図４であり、ａは開にある非動作時から動作により閉となるノーマルオープンの接点を示し、ｂは逆に閉にある非動作時から動作により開となるノーマルクローズの接点を示している。
【００３４】
図４に示す回路によれば、まず、遮断器ＣＢ１〜３が遮断、非常用発電機６が停止にある状態から、運転の開始に伴い接点ａが閉になると、商用電源１の給電ラインの異常が検出されていない（接点ｂが閉）ことを条件に遮断器ＣＢ１、２の投入指令が出力され、系統連系運転が開始される。
【００３５】
この状態において、商用電源１の給電ラインの異常が検出されると接点ａが閉になるので、遮断器ＣＢ１、２の遮断指令が出力される。さらに遮断器ＣＢ１が開放されその補助接点ｂが閉に戻ると、燃料枯渇でない（接点ｂが閉）ことを条件に非常用発電機６の起動指令及び遮断器ＣＢ３の投入指令が出力される。
【００３６】
その後、非常用発電機６が起動され起動が完了することにより、その接点ａが閉（接点ｂは開）になると、遮断器ＣＢ２の投入指令が出力される。燃料枯渇が検出され、接点ａが閉になると、遮断器ＣＢ２の遮断指令が出力される。さらに、非常用発電機６の停止指令及び遮断器ＣＢ３の遮断指令が出力される。これらの指令は、例えば遅延回路（タイマー回路）を使って一定時間後に出力されるようにしてもよい。
【００３７】
商用電源１の給電ラインの異常が解除されると、非常用発電機６が運転中で遮断器ＣＢ３が投入されている状態（補助接点ａが閉）であれば、非常用発電機６の停止指令及び遮断器ＣＢ３の遮断指令が出力され、同時に遮断器ＣＢ１、２の投入指令が出力される。
【００３８】
また、蓄電電源装置５の制御モードの切り替えは、遮断器ＣＢ１、２が開放されいずれの補助接点ｂも閉にあると、電圧制御モードの設定指令が出力され、遮断器ＣＢ１、２のいずれかが接続されてその補助接点ａが閉にあると、電流制御モードの設定指令が出力される。
【００３９】
なお、本発明は、上記実施の形態に限定されるものではなく、種々の変形が可能である。例えば上記実施の形態では、商用電源１の給電ラインの異常が検出されてから非常用発
電機６の起動が完了するまでの間、遮断器ＣＢ２を遮断して第２の負荷４へ放電するのを阻止したが、この間も遮断器ＣＢ２を投入したままで維持し、非常用発電機６が燃料枯渇などで運転状態でなくなった時に遮断器ＣＢ２を遮断するように制御してもよい。
【図面の簡単な説明】
【００４０】
【図１】本発明に係る蓄電・非常用発電電源装置を活用した自立運転システムの実施の形態を説明する図
【図２】統合制御装置の実施の形態を制御処理の流れにより説明する図
【図３】非常用発電電源装置の燃料枯渇に対応する制御処理の流れを説明する図
【図４】統合制御装置の実施の形態を回路構成により説明する図
【符号の説明】
【００４１】
１…商用電源、２…一般負荷、３…第１の負荷、４…第２の負荷、５…蓄電電源装置、６…非常用発電機、１１…統合制御装置、１２…給電検出装置、ＣＢ１〜３…遮断器
【図１】
2010142076.tif 000003
【図２】
2010142076.tif 000004
【図３】
2010142076.tif 000005
【図４】
2010142076.tif 000006